(57)【特許請求の範囲】
【請求項１】
機枠と、この機枠に対してヒンジ機構を介して開閉可能に軸支された本体枠と、この本体枠に対して別のヒンジ機構を介して開閉可能に軸支された前面扉と、シリンダ錠を有する施錠装置とを備え、前記施錠装置によって前記本体枠が前記機枠に対して施錠されると共に、前記前面扉が前記本体枠に対して施錠されるパチンコ機において、
前記施錠装置は、前記本体枠に設置された縦長状のベース部材と、このベース部材に上下動可能に支持されて機枠側の受け部に係止可能な鉤部を有する第１の施錠杆と、前記ベース部材に上下動可能に支持されて前面扉側の受け部に係止可能な鉤部を有する第２の施錠杆と、これら第１および第２の施錠杆を前記ベース部材の長手方向に沿って互いに逆向きに付勢する第１の弾性手段と、前記ベース部材に揺動可能に支持されて前記第１および第２の施錠杆に係脱可能なロックレバーと、このロックレバーを前記第１および第２の施錠杆と係合する方向へ付勢する第２の弾性手段と、前記ベース部材に揺動可能に支持されて前記機枠に接離可能な第１の規制レバーと、前記ベース部材に揺動可能に支持されて前記前面扉に接離可能な第２の規制レバーと、これら第１および第２の規制レバーを前記ロックレバーと係合する方向へ付勢する第３の弾性手段と、前記シリンダ錠の鍵穴に差し込んだキーの回転操作によって前記ベース部材の長手方向に沿って上下動するロック解除部材とを有しており、
前記本体枠と前記前面扉がいずれも施錠されているとき、前記ロックレバーが前記第１および第２の施錠杆に係合することにより、これら第１および第２の施錠杆が前記鉤部を対応する前記受け部に係止した状態でロックされていると共に、前記第１および第２の規制レバーがそれぞれ前記機枠と前記前面扉に当接して非作動位置に保持されており、
前記キーの回転操作に伴って前記ロック解除部材を上下いずれか一方へ移動することにより、該ロック解除部材が前記ロックレバーを揺動させて前記第１または第２の施錠杆のロック状態を解除するようになし、
前記本体枠が前記機枠に対して解錠されたとき、前記第１の規制レバーが前記機枠から離反して前記ロックレバーに圧接することにより、該ロックレバーが前記第１の施錠杆をロック解除状態に維持すると共に、前記前面扉が前記本体枠に対して解錠されたとき、前記第２の規制レバーが前記前面扉から離反して前記ロックレバーに圧接することにより、該ロックレバーが前記第２の施錠杆をロック解除状態に維持するようにしたことを特徴とするパチンコ機。
【請求項２】
請求項１の記載において、前記ロックレバーの揺動中心を挟んだ両端側にそれぞれ当接受部が設けられており、前記ロック解除部材の上下動に伴って前記ロックレバーがアンロック位置へ揺動されたとき、これら当接受部が前記第１および第２の規制レバーに対していずれも離反するようにしたことを特徴とするパチンコ機。
【請求項３】
請求項１または２の記載において、前記ベース部材が前記ロック解除部材を挟んで一体化されたベース本体とカバー体とを有しており、前記ベース本体に前記第１および第２の施錠杆が上下動可能に支持されていると共に、前記カバー体に前記ロックレバーと前記第１および第２規制レバーがそれぞれ揺動可能に支持されていることを特徴とするパチンコ機。
【発明の詳細な説明】
【技術分野】
【０００１】
本発明は、遊技盤を目視可能な前面扉が本体枠に対して開閉可能に支持されていると共に、この本体枠が機枠に対して開閉可能に支持されているパチンコ機に係り、特に、機枠に対する本体枠の施錠と本体枠に対する前面扉の施錠を行う施錠装置の改良に関するものである。
【背景技術】
【０００２】
一般的にパチンコ機は、遊技場の島設備に設置される縦長方形状の機枠（外枠）と、この機枠にヒンジ機構を介して扉状に開閉可能に取り付けられた本体枠と、この本体枠の内側に収容された遊技盤と、本体枠の前面に別のヒンジ機構を介して開閉可能に取り付けられた前面扉とを備えており、前面扉に形成された開口部には遊技盤を目視可能な透明板が取り付けられている。本体枠の背面側には、電装部品の一つである液晶表示装置が取り付けられる他、それ以外の電装部品として遊技に関する制御を行う制御処理装置（制御基板）や、賞球払出装置による賞球の払い出しを制御する払出基板、各部に電力を供給する電源基板、賞球数や扉開閉状態等のパチンコ機に関する各種情報を遊技場のホールコンピュータに出力する外部端子基板等が取り付けられている。
【０００３】
このように概略構成されたパチンコ機において、遊技者が前面扉や本体枠を無断で開放して不正行為をするのを防止するために、通常は本体枠にシリンダ錠を有する施錠装置を組み込み、この施錠装置を用いて機枠に対する本体枠の施錠と本体枠に対する前面扉の施錠とを行うようにしている。この種の施錠装置は、本体枠に取り付けられた縦長状のベース部材に一対の施錠杆を上下動可能に支持し、一方の施錠杆に形成された鉤部を機枠側の受け部に係止させると共に、他方の施錠杆に形成された鉤部を前面扉側の受け部に係止させるようにしている。そして、ベース部材に設けられたシリンダ錠を前面扉の前方へ露出させ、このシリンダ錠の鍵穴に差し込んだキーを正逆いずれかの方向に回転操作して一対の施錠杆を選択的に上下動させることにより、移動した側の鉤部と受け部との係止を外して解錠するようになっている。しかしながら、前面扉や本体枠が施錠状態であっても、本体枠の周囲にできる隙間から針金やピアノ線等を内部に挿入し、その先端を施錠杆に引っ掛けて鉤部が受け部から外れるように移動させると、前面扉や本体枠がキーを用いずに不正に解錠されてしまうという問題がある。
【０００４】
そこで、従来より、ベース部材に一対のロックレバーを揺動可能に支持すると共に、各施錠杆にそれぞれロック受け部材を揺動可能に支持し、前面扉と本体枠が施錠状態にあるとき、各ロックレバーを機枠側の当接部と前面扉側の当接部にそれぞれ当接させることにより、これらロックレバーを対応するロック受け部材に係合させて施錠杆の上下動を阻止するようにした施錠装置が提案されている（例えば、特許文献１参照）。この施錠装置では、シリンダ錠の鍵穴に差し込んだキーを回転操作すると、錠軸に取り付けられたカム部材がロック解除部材を上下動させ、それに伴ってロック解除部材がロック受け部材とロックレバーの係合を外すことにより、施錠杆のロックを解除して前面扉や本体枠を開放できるようになっている。
【先行技術文献】
【特許文献】
【０００５】
【特許文献１】特開２０１０−１３１２６６号公報
【発明の概要】
【発明が解決しようとする課題】
【０００６】
しかしながら、特許文献１に開示された従来の施錠装置においては、ベース部材に揺動可能に支持したロックレバーを機枠側や前面扉側の当接部に押し当てて変位させることにより、このロックレバーを対応するロック受け部材に係合させて施錠杆の上下動をロックする構成となっているので、製造上の寸法誤差や経年劣化等に起因してロックレバーの押し込み量が変動すると、施錠杆のロック動作／ロック解除が不完全になる虞があった。すなわち、ロックレバーの押し込み量が規定値に対して不足すると、前面扉や本体枠を閉じてもロックレバーがロック受け部材と係合しなくなるため、施錠杆をロックすることができなくなる。その反対にロックレバーの押し込み量が規定値に対して多くなり過ぎると、キーの回転操作によってロック解除部材を上下動させても、ロック受け部材がロックレバーから外れなくなるため、前面扉や本体枠を開放しようとしても施錠杆をロック解除できなくなる。
【０００７】
このように、特許文献１に開示された従来の施錠装置では、本体枠に組み込まれたベース部材側のロックレバーと機枠側や前面扉側の当接部との相対位置に寸法的な余裕がほとんどなく、しかも、機枠や前面扉の構造（当接部の位置等）を配慮した設計が余儀なくされるため、ロック機構やレイアウト等の制限が厳しいものとなり、設計上の自由度が小さいという難点があった。
【０００８】
本発明は、このような従来技術の実情に鑑みてなされたもので、その目的は、本体枠に組み付けた施錠装置をシリンダ錠の鍵穴に差し込んだキーによって確実に解錠／施錠することができるパチンコ機を提供することにある。
【課題を解決するための手段】
【０００９】
上記の目的を達成するために、本発明は、機枠と、この機枠に対してヒンジ機構を介して開閉可能に軸支された本体枠と、この本体枠に対して別のヒンジ機構を介して開閉可能に軸支された前面扉と、シリンダ錠を有する施錠装置とを備え、前記施錠装置によって前記本体枠が前記機枠に対して施錠されると共に、前記前面扉が前記本体枠に対して施錠されるパチンコ機において、前記施錠装置は、前記本体枠に設置された縦長状のベース部材と、このベース部材に上下動可能に支持されて機枠側の受け部に係止可能な鉤部を有する第１の施錠杆と、前記ベース部材に上下動可能に支持されて前面扉側の受け部に係止可能な鉤部を有する第２の施錠杆と、これら第１および第２の施錠杆を前記ベース部材の長手方向に沿って互いに逆向きに付勢する第１の弾性手段と、前記ベース部材に揺動可能に支持されて前記第１および第２の施錠杆に係脱可能なロックレバーと、このロックレバーを前記第１および第２の施錠杆と係合する方向へ付勢する第２の弾性手段と、前記ベース部材に揺動可能に支持されて前記機枠に接離可能な第１の規制レバーと、前記ベース部材に揺動可能に支持されて前記前面扉に接離可能な第２の規制レバーと、これら第１および第２の規制レバーを前記ロックレバーと係合する方向へ付勢する第３の弾性手段と、前記シリンダ錠の鍵穴に差し込んだキーの回転操作によって前記ベース部材の長手方向に沿って上下動するロック解除部材とを有しており、前記本体枠と前記前面扉がいずれも施錠されているとき、前記ロックレバーが前記第１および第２の施錠杆に係合することにより、これら第１および第２の施錠杆が前記鉤部を対応する前記受け部に係止した状態でロックされていると共に、前記第１および第２の規制レバーがそれぞれ前記機枠と前記前面扉に当接して非作動位置に保持されており、前記キーの回転操作に伴って前記ロック解除部材を上下いずれか一方へ移動することにより、該ロック解除部材が前記ロックレバーを揺動させて前記第１または第２の施錠杆のロック状態を解除するようになし、前記本体枠が前記機枠に対して解錠されたとき、前記第１の規制レバーが前記機枠から離反して前記第１のロックレバーに圧接することにより、該ロックレバーが前記第１の施錠杆をロック解除状態に維持すると共に、前記前面扉が前記本体枠に対して解錠されたとき、前記第２の規制レバーが前記前面扉から離反して前記ロックレバーに圧接することにより、該ロックレバーが前記第２の施錠杆をロック解除状態に維持するようにした。
【００１０】
このように構成されたパチンコ機では、本体枠と前面扉がいずれも施錠されているとき、機枠側の受け部に係止している第１の施錠杆と前面扉側の受け部に係止している第２の施錠杆との上下動がいずれもロックレバーによって阻止されているため、外部から挿入した針金等を用いて第１および第２の施錠杆を移動することはできず、キーを用いずに前面扉や本体枠を解錠するという不正行為を防止することができる。その際、第１および第２の規制レバーはそれぞれ機枠と前面扉に当接して非作動位置に保持されている。
【００１１】
本体枠と前面扉のいずれか一方、例えば機枠に対して本体枠を解錠する場合は、キーを回転操作してロック解除部材を上下いずれか一方へ移動させると、ロックレバーが揺動して第１の施錠杆とのロック状態を解除し、このロックレバーは非作動位置に保持された第１の規制レバーから離反する。かかるロック解除後にキーを同方向へさらに回転操作すると、第１の施錠杆が第１の弾性手段の付勢力に抗して上下いずれか一方へ移動し、それに伴って第１の施錠杆の鉤部と機枠側の受け部との係合が解除されるため、この時点で機枠に対して本体枠を開放動作することができる。そして、本体枠の開放動作に伴って機枠に拘束されていた第１の規制レバーが機枠から離反すると、第１の規制レバーが第３の弾性手段の付勢力を受けて作動位置まで揺動してロックレバーに圧接されるため、ロックレバーの第１の施錠杆に対するロック動作が第１の規制レバーによって阻止される。したがって、本体枠が機枠に対して開放されているときに、第１の施錠杆が誤ってロックレバーにロックされてしまうことはない。なお、本体枠に対して前面扉を解錠する場合は、キーを上記と逆向きに回転操作してロック解除部材を上下動させると、ロックレバーが揺動して第２の施錠杆とのロック状態を解除することにより、第２の施錠杆の鉤部と前面扉側の受け部との係合を解除することができ、この場合、前面扉の開放動作に伴って第２の規制レバーがロックレバーに圧接されるため、前面扉はロックレバーと第２の施錠杆をアンロック状態としたまま本体枠に対して開放される。
【００１２】
また、解錠状態にある本体枠と前面扉のいずれか一方、例えば機枠に対して本体枠を施錠する場合は、本体枠を閉鎖方向へ回動して第１の施錠杆の鉤部を機枠側の受け部に当接させた後、本体枠をさらに閉鎖方向へ回動して機枠側へ押し込むと、第１の施錠杆は鉤部が受け部を通過するまで初期位置から離反する方向へ移動し、その後に第１の弾性手段の付勢力によって初期位置へ戻るため、第１の施錠杆の鉤部を機枠側の受け部に係止させることができる。この場合、本体枠の閉鎖動作に伴って第１の規制レバーが機枠に押し当てられると、第１の規制レバーが非作動位置まで揺動してロックレバーに対する拘束を解除するため、ロックレバーが第２の弾性手段の付勢力により揺動して初期位置に戻った第１の施錠杆に係合する。したがって、機枠に対して本体枠を閉じると、第１の施錠杆の上下動が再びロックレバーによって阻止され、外部から挿入した針金等を用いて第１の施錠杆を移動することはできなくなる。なお、本体枠に対して前面扉を施錠する場合は、前面扉を閉鎖方向へ回動して前面扉側の受け部を第２の施錠杆の鉤部に当接させた後、前面扉をさらに閉鎖方向へ回動して本体枠側へ押し込めば良い。この場合、前面扉の閉鎖動作に伴って第２の規制レバーが前面扉に押し当てられると、第２の規制レバーが非作動位置まで揺動してロックレバーに対する拘束を解除するため、本体枠に対して前面扉を閉じると、第２の施錠杆の上下動が再びロックレバーによって阻止され、外部から挿入した針金等を用いて第２の施錠杆を移動することはできなくなる。
【００１３】
上記の構成において、ロックレバーの揺動中心を挟んだ両端側にそれぞれ当接受部が設けられており、ロック解除部材の上下動に伴ってロックレバーがアンロック位置へ揺動されたとき、これら当接受部が第１および第２の規制レバーに対していずれも離反するようにしてあると、ロックレバーの第１および第２の施錠杆に対するロック／アンロック動作が確実になって好ましい。
【００１４】
また、上記の構成において、第１および第２の施錠杆やロックレバー等の構成部品を全てベース部材に組み込むようにしても良いが、ベース部材がロック解除部材を挟んで一体化されたベース本体とカバー体とを有しており、ベース本体に第１および第２の施錠杆が上下動可能に支持されていると共に、カバー体にロックレバーと第１および第２の規制レバーがそれぞれ揺動可能に支持されていることが好ましい。
【発明の効果】
【００１５】
本発明のパチンコ機は、本体枠と前面扉がいずれも施錠されているとき、機枠側の受け部に係止している第１の施錠杆と前面扉側の受け部に係止している第２の施錠杆との上下動がいずれもロックレバーによって阻止されているため、外部から挿入した針金等を用いて第１および第２の施錠杆を移動することはできず、キーを用いずに前面扉や本体枠を解錠するという不正行為を防止することができる。そして、シリンダ錠の鍵穴に差し込んだキーを回転操作してロック解除部材を上下動させると、ロックレバーが揺動して第１の施錠杆や第２の施錠杆をロック解除することができ、本体枠や前面扉の開放時は第１の規制レバーや第２の規制レバーをロックレバーに圧接させてロック解除状態を維持することにより、第１の施錠杆や第２の施錠杆がロックレバーに誤ってロックされてしまうことを防止することができる。したがって、このパチンコ機は、本体枠に組み付けた施錠装置をキーの回転操作によって確実に解錠／施錠することができると共に、ロック機構や施錠装置の配置場所等を含めた設計上の自由度を高めることができる。
【図面の簡単な説明】
【００１６】
【図１】本発明の実施形態例に係るパチンコ機の斜視図である。
【図２】図１に示すパチンコ機の前面扉を開放した状態の斜視図である。
【図３】図１に示すパチンコ機の背面図である。
【図４】図１のパチンコ機に備えられる施錠装置の斜視図である。
【図５】該施錠装置からカバー体を取り除いて示す斜視図である。
【図６】該施錠装置の分解斜視図である。
【図７】カバー体に組み込まれた各部材を示す斜視図である。
【図８】機枠に対して本体枠を開閉するときの該施錠装置の動作説明図である。
【図９】図８（ａ）の要部拡大図である。
【図１０】図８（ｂ）の要部拡大図である。
【図１１】図８（ｃ）の要部拡大図である。
【図１２】図８（ｄ）の要部拡大図である。
【図１３】図８（ｅ）の要部拡大図である。
【図１４】機枠に対して本体枠を開閉するときのカム板の動作説明図である。
【図１５】本体枠に対して前面扉を開閉するときの該施錠装置の動作説明図である。
【図１６】図１５（ａ）の要部拡大図である。
【図１７】図１５（ｂ）の要部拡大図である。
【図１８】図１５（ｃ）の要部拡大図である。
【図１９】図１５（ｄ）の要部拡大図である。
【図２０】図１５（ｅ）の要部拡大図である。
【図２１】本体枠に対して前面扉を開閉するときのカム板の動作説明図である。
【発明を実施するための形態】
【００１７】
発明の実施の形態について図面を参照して説明すると、図１に示すように、本発明の実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１８】
図２に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１９】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２は前面扉３によって覆い隠される設置部２ｂとなっており、この設置部２ｂ内の下部中央には遊技球を遊技領域９に向けて発射する発射装置１０が配設されている。
【００２０】
本体枠２の右側枠部は第１ヒンジ機構と反対側の自由端側であり、この右側枠部の裏面には図４等に示す施錠装置３０が設置されている。詳細な構成については後述するが、この施錠装置３０は、シリンダ錠１１や後部施錠杆（第１の施錠杆）３１や前部施錠杆（第２の施錠杆）３２等を備えており、シリンダ錠１１は本体枠２の前方へ突出して前面扉３の切欠き３ｂ内に露出するようになっている。常態では、施錠装置３０の後部施錠杆３１により本体枠２が機枠１に対して施錠されると共に、前部施錠杆３２により前面扉３が本体枠２に対して施錠されている。そして、シリンダ錠１１の鍵穴に差し込んだ図示せぬキーを一方向（例えば時計回り）へ回転操作すると、後部施錠杆３１が下動して本体枠２が解錠され、シリンダ錠１１ａの鍵穴に差し込んだキーを他方向（反時計回り）へ回転操作すると、前部施錠杆３２が上動して前面扉３が解錠されるようになっている。
【００２１】
図１に戻り、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。前面扉３には遊技盤７の盤面に対向する大きな開口３ａが開設されており、この開口３ａは透明板４によって塞がれている。前面扉３の前面上部には比較的小型のスピーカ１２が左右に１個ずつ配設されており、これらスピーカ１２と前述した大型のスピーカ６とによって遊技に関する様々な効果音を発するようになっている。また、前面扉３の前面下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１３の右側方には発射装置１０の発射強度を調整するための操作ハンドル１６が配設されている。
【００２２】
図３に示すように、このパチンコ機Ｐの背面側には、遊技に関する主要な処理を行う主制御基板１７と、主制御基板１７からの指令を受けて可変表示装置やスピーカ等の各種装置を制御する副制御基板１８と、前述した賞球払出装置１９と、主制御基板１７からの指令を受けて賞球払出装置１９を制御する払出制御基板２０と、操作ハンドル１６の回動量に応じて発射装置１０の作動を制御する発射制御基板２１と、大当たり回数等の各種情報を遊技場のホールコンピュータに出力する外部端子基板２２等が設けられている。
【００２３】
図４〜図７に示すように、前記施錠装置３０は、本体枠２の右側枠部に取り付けられる縦長状のベース本体３３と、ベース本体３３の一面側に固定された取付板３４と、取付板３４にネジ止めされた前記シリンダ錠１１と、シリンダ錠１１の錠軸に取り付けられたカム板３５と、ベース本体３３の他面側に固定されたカバー体４０と、ベース本体３３の他面側に上下動可能に支持された前記後部施錠杆３１および前部施錠杆３２と、カバー体４０に揺動可能に支持されたロックレバー３６と、カバー体４０に揺動可能に支持された第１および第２の規制レバー３７，３８と、ベース本体３３の長手方向に沿って上下動可能なロック解除部材３９等を備えており、ベース本体３３とカバー体４０によってベース部材が構成されている。
【００２４】
ベース本体３３は金属板からなり、その中央よりも下側箇所に幅広部３３ａが形成されている。カバー体４０は幅広部３３ａを覆うようにベース本体３３にネジ止め固定されており、これらベース本体３３とカバー体４０間にロックレバー３６やロック解除部材３９等を配置するための収納空間Ｓが確保されている（図１４と図２１参照）。
【００２５】
シリンダ錠１１は前面側に露出する鍵穴１１ａを有しており、この鍵穴１１ａに差し込んだキーを回転操作すると、その回転方向に応じてカム板３５が所定角度の範囲内を回転するようになっている。このカム板３５は二股形状の駆動腕３５ａ，３５ｂを有しており、これら駆動腕３５ａ，３５ｂはベース本体３３に形成された貫通孔３３ｂを挿通して前記収納空間Ｓの内部に達している。
【００２６】
後部施錠杆３１と前部施錠杆３２はいずれも金属板からなり、これら各施錠杆３１，３２は複数本のピン４１を用いてベース本体３３の他面側に積層状態で上下動可能に支持されている。後部施錠杆３１と前部施錠杆３２との間には第１の弾性手段であるコイルばね４２が張架されており、このコイルばね４２によって後部施錠杆３１は上方、前部施錠杆３２は下方へそれぞれ付勢されている。後部施錠杆３１の上下両端には鉤部３１ａが形成されており、これら鉤部３１ａは本体枠２の背面側へ突出している。詳細については後述するが、本体枠２が機枠１に対して施錠されているとき、鉤部３１ａは機枠１に設けられた受け部１ａに係止しており、鉤部３１ａと受け部１ａの係合が解除されることにより、本体枠２を機枠１に対して開放できるようになっている（図８参照）。また、後部施錠杆３１の下側箇所には一対の長孔３１ｂが上下方向に沿って穿設されており、上方の長孔３１ｂの斜め上方には係合突部３１ｃが形成されている。
【００２７】
前部施錠杆３２の上下両端と中央付近は鉤部３２ａが形成されており、これら鉤部３２ａはベース本体３３を挿通して本体枠２の前面側へ突出している。詳細については後述するが、前面扉３が本体枠２に対して施錠されているとき、鉤部３２ａは前面扉３に設けられた背板面（受け部）３ｃに係止してお、鉤部３２ａと背板面３ｃの係合が解除されることにより、前面扉３を本体枠２に対して開放できるようになっている（図１５参照）。また、前部施錠杆３２の下側箇所には一対の長孔３２ｂが上下方向に沿って穿設されており、上方の長孔３２ｂの側方には係合突部３２ｃが形成されている。
【００２８】
ロックレバー３６は上下両端に当接受部３６ａ，３６ｂを有する縦長形状の部材であり、その中央部よりやや下方位置（揺動中心）がピン４３を用いてカバー体４０の下部側に揺動可能に支持されている。ロックレバー３６には第１および第２の駆動受３６ｃ，３６ｄが形成されており、第１の駆動受３６ｃは揺動中心から離れた位置で板厚方向へ突出し、第２の駆動受３６ｄは揺動中心の近傍位置で側方へ突出している。カバー体４０の下部には第２の弾性手段である捩りコイルばね４４が保持されており、この捩りコイルばね４４の一端部をロックレバー３６の下端部に掛止めすることにより、ロックレバー３６は捩りコイルばね４４によって後部施錠杆３１と前部施錠杆３２に近接する方向へ付勢されている。また、ロックレバー３６の上部側方には係止突起３６ｅが形成されており、この係止突起３６ｅはロックレバー３６の揺動に伴って後部施錠杆３１の係合突部３１ｃと前部施錠杆３２の係合突部３２ｃに対して係脱可能となっている。
【００２９】
第１の規制レバー３７はロックレバー３６の下部近傍に配置された長尺状部材であり、その中央部（揺動中心）がピン４５を用いてカバー体４０の下部側に揺動可能に支持されている。第１の規制レバー３７とカバー体４０との間には第３の弾性手段であるコイルばね４６が張架されており、このコイルばね４６によって第１の規制レバー３７は下端側を本体枠２の背面側へ突出する方向、換言すると上端側をロックレバー３６の当接受部３６ｂに近付ける方向へ付勢されている。
【００３０】
第２の規制レバー３８はロックレバー３６の上部近傍に配置されたＶ字状部材であり、その中央部（揺動中心）がピン４７を用いてカバー体４０の上部側に揺動可能に支持されている。第２の規制レバー３８とカバー体４０との間には第３の弾性手段であるコイルばね４８が張架されており、このコイルばね４８によって第２の規制レバー３８は一方の腕部を本体枠２の前面側へ突出する方向、換言すると他方の腕部をロックレバー３６の当接受部３６ａに近付ける方向へ付勢されている。
【００３１】
ロック解除部材３９は一対の連結孔３９ａ，３９ｂを有する長尺状板体であり、図７に示すように、このロック解除部材３９はカバー体４０に形成されたガイドレール４０ａに案内されて上下方向へ移動可能となっている。図１４と図２１に示すように、前述したカム板３５の駆動腕３５ａ，３５ｂは、収納空間Ｓの内部で後部施錠杆３１と前部施錠杆３２の各長孔３１ｂ，３２ｂを挿通してロック解除部材３９の連結孔３９ａ，３９ｂに係合しており、カム板３５の回転方向に応じて後部施錠杆３１と前部施錠杆３２およびロック解除部材３９が上下いずれかの方向へ移動するようになっている。その際、連結孔３９ａ，３９ｂの長さ寸法は対応する駆動腕３５ａ，３５ｂよりも僅かに大きく設定され、両者間に若干の遊び（微小クリアランス）を確保することにより、カム板３５の回転がロック解除部材３９の上下動にスムーズに伝達されるようになっている。これに対して、後部施錠杆３１と前部施錠杆３２の各長孔３１ｂ，３２ｂの長さ寸法はカム板３５の駆動腕３５ａ，３５ｂよりも十分に大きめに設定されており、カム板３５が初期位置から所定角度を越えて回転すると、一方の駆動腕３５ａが長孔３２ｂの上辺に当接して前部施錠杆３２を上動させたり、他方の駆動腕３５ｂが長孔３１ｂの下辺に当接して後部施錠杆３１を下動させるようになっている。
【００３２】
このロック解除部材３９には第１および第２の駆動部３９ｃ，３９ｄが形成されており、第１の駆動部３９ｃは中央付近から側方へ突出してロックレバー３６と重なっている。第２の駆動部３９ｄはロック解除部材３９の下端隅部に形成されており、図７に示すように、この第２の駆動部３９ｄはカバー体４０との対向面と反対側から板厚方向へ突出している。ロック解除部材３９が初期位置にあるとき、第１の駆動部３９ｃはロックレバー３６の第１の駆動受３６ｃの上端と対向し、第２の駆動部３９ｄはロックレバー３６の第２の駆動受３６ｄの上端と対向している。そして、ロック解除部材３９が初期位置から下方へ移動すると、第１の駆動部３９ｃの下端が第１の駆動受３６ｃを押圧することで、ロックレバー３６が捩りコイルばね４４の付勢力に抗して後部施錠杆３１と前部施錠杆３２から離反する方向へ揺動する。その反対にロック解除部材３９が初期位置から上方へ移動すると、第２の駆動部３９ｄの上端が第２の駆動受３６ｄを押圧することで、ロックレバー３６が同じく捩りコイルばね４４の付勢力に抗して後部施錠杆３１と前部施錠杆３２から離反する方向へ揺動する。
【００３３】
また、ロック解除部材３９の上部には矩形状の係合孔３９ｅが形成されており、この係合孔３９ｅ内に弾性復帰手段であるセルフリターンばね４９の弾性腕４９ａ，４９ｂが挿入されている。このセルフリターンばね４９は巻回部４９ｃの両端から一対のＬ字状の弾性腕４９ａ，４９ｂを延出させた線細工ばねであり、図７に示すように、巻回部４９ｃはカバー体４０に突設されたボス４０ｂに挿入・保持されている。また、カバー体４０にはボス４０ｂを挟んで上下に対向する規制壁４０ｃが突設されており、両弾性腕４９ａ，４９ｂは規制壁４０ｃによって外側への変形を規制された状態で係合孔３９ｅ内に挿入されている。これにより、カム板３５を回転操作してロック解除部材３９が初期位置から上下動すると、その移動方向に応じてセルフリターンばね４９のいずれか一方の弾性腕４９ａ，４９ｂが係合孔３９ｅの上辺または下辺に押圧されて弾性変形し、カム板３５に対する回転操作力が取り除かれると、弾性変形した弾性腕４９ａ，４９ｂの蓄力を受けてロック解除部材３９は初期位置に自動復帰する。
【００３４】
このように構成された施錠装置３０は、図４に示すように、ベース本体３３とカバー体４０に両施錠杆３１，３２やロックレバー３６やロック解除部材３９等を組み込んでユニット化した後、ベース本体３３を本体枠２の右側枠部の裏面にネジ止め等の固定手段を用いて取り付けることで使用される。以下、かかる施錠装置３０の動作を主として図８〜図２１に基づいて説明する。なお、図８〜図１４は機枠１に対して本体枠２を開閉する場合の動作説明図、図１５〜図２１は本体枠２に対して前面扉３を開閉する場合の動作説明図であり、これらの図において、本体枠２と前面扉３は図示省略されている。
【００３５】
本実施形態例に係るパチンコ機Ｐにおいて、常態では、本体枠２が機枠１に対して閉じられていると共に、前面扉３が本体枠２に対して閉じられている。図８（ａ）と図１５（ａ）に示すように、この場合、後部施錠杆３１と前部施錠杆３２およびロック解除部材３９はいずれも初期位置にあり、後部施錠杆３１の鉤部３１ａは機枠１の受け部１ａに係止し、前部施錠杆３２の鉤部３２ａは前面扉３の背板面３ｃに係止している。また、ロックレバー３６は捩りコイルばね４４からの付勢力を受けてロック位置にあり、図９から明らかなように、ロックレバー３６の係止突起３６ｅが係合突部３１ｃの下側に位置して後部施錠杆３１の下動を阻止すると共に、この係止突起３６ｅが係合突部３２ｃの上側に位置して前部施錠杆３２の上動を阻止しているため、後部施錠杆３１と前部施錠杆３２はいずれもロック状態に維持されている。したがって、外部から挿入した針金等を用いて後部施錠杆３１や前部施錠杆３２を上下動することはできず、キーを用いずに本体枠２や前面扉３を解錠するという不正行為を防止できる。
【００３６】
このように本体枠２と前面扉３が閉じられているとき、第１の規制レバー３７は機枠１の受け部１ａに押し当てられてロックレバー３６の当接受部３６ｂに近接し、第２の規制レバー３８は前面扉３の背板面３ｃに押し当てられてロックレバー３６の当接受部３６ａに近接しており、これら第１および第２の規制レバー３７，３８はいずれも非作動位置に保持されている。また、セルフリターンばね４９の弾性腕４９ａ，４９ｂはロック解除部材３９の係合孔３９ｅの上辺と下辺にそれぞれ弾接しており、ロック解除部材３９は各弾性腕４９ａ，４９ｂからの付勢力を受けて初期位置に安定的に保持されている。さらに、図１４（ａ）に示すように、カム板３５の各駆動腕３５ａ，３５ｂは、初期位置にある後部施錠杆３１と前部施錠杆３２の各長孔３１ｂ，３２ｂを貫通してロック解除部材３９の連結孔３９ａ，３９ｂに係合しており、駆動腕３５ａ，３５ｂと長孔３１ｂ，３２ｂとの間には所定の隙間が確保されている。
【００３７】
この状態から本体枠２と前面扉３のいずれか一方、例えば機枠１に対して本体枠２を解錠する場合、シリンダ錠１１の鍵穴１１ａに差し込んだキーを時計回りに回転操作すると、図１４（ｂ）に示すように、カム板３５が時計回りに回転して初期位置にあるロック解除部材３９を下方へ移動させると共に、一方の駆動腕３５ｂが後部施錠杆３１に形成された上側の長孔３１ｂの下辺に接近していく。このようにロック解除部材３９が初期位置から下方へ移動し始めると、まず、第１の駆動部３９ｃが第１の駆動受３６ａに当接してロックレバー３６を捩りコイルばね４４の付勢力に抗して図９の時計回りに揺動させるため、図８（ｂ）と図１０に示すように、ロックレバー３６の係止突起３６ｅが後部施錠杆３１と前部施錠杆３２の係合突部３１ｃ，３２ｃの側方へ移動する。これにより、後部施錠杆３１と前部施錠杆３２はロックレバー３６によるロックが解除されたアンロック状態となり、ロックレバー３６の上下両端側の当接受部３６ａ，３６ｂが非作動位置に保持された第２の規制レバー３８と第１の規制レバー３７からそれぞれ離反する。また、ロック解除部材３９の下動に伴って係合孔３９ｅとセルフリターンばね４９との相対位置が変化するため、上側の弾性腕４９ａが係合孔３９ｅの上辺に係合しながら撓んでいき、下側の弾性腕４９ｂは係合孔３９ｅの下辺から離れていく。
【００３８】
かかるロック解除後にキーをさらに時計回りへ回転操作すると、図１４（ｃ）に示すように、カム板３５の駆動腕３５ｂが上側の長孔３１ｂの下辺に当接して後部施錠杆３１を押下するため、図８（ｃ）と図１１に示すように、後部施錠杆３１がコイルばね４２の付勢力に抗して下方へ移動して鉤部３１ａと受け部１ａとの係合を解除する。この時点でロック解除部材３９は初期位置から下方へ最も離反した最下位置まで移動し、後部施錠杆３１による施錠は解除されてアンロック状態となっているため、本体枠２を機枠１に対して開放することができる。また、こうしてロック解除部材３９が最下位置まで移動すると、セルフリターンばね４９の上側の弾性腕４９ａが大きく変形し、この弾性腕４９ａにロック解除部材３９を上方へ戻そうとする大きな復帰力が蓄力される。なお、図１４（ａ）〜図１４（ｃ）に示すように、カム板３５の回転に伴ってロック解除部材３９が初期位置から最下位置まで移動する間に、カム板３５の駆動腕３５ａ，３５ｂは前部施錠杆３２の長孔３２ｂ内を移動するだけであるため、前部施錠杆３２はカム板３５に駆動されることなく初期位置で停止している。
【００３９】
このようにキーを用いて本体枠２を機枠１に対して開放すると、それまで非作動位置に拘束されていた第１の規制レバー３７が機枠１の受け部１ａから離反し、第１の規制レバー３７がコイルばね４６の付勢力を受けて図１１の反時計回りに揺動するため、図１２に示すように、第１の規制レバー３７が作動位置まで移動してロックレバー３６の当接受部３６ｂに圧接される。このときにキーは元位置に戻されており、それに伴ってカム板３５とロック解除部材３９は初期位置に戻っているが、第１の規制レバー３７がロックレバー３６のロック位置へ戻ろうとする揺動動作を阻止しているため、ロックレバー３６の後部施錠杆３１に対するアンロック状態が第１の規制レバー３７によって維持される。ここで、コイルばね４６が第１の規制レバー３７を介してロックレバー３６をアンロック位置に維持しようとする付勢力Ｑ１と、捩りコイルばね４４がロックレバー３６をロック位置に戻そうとする付勢力Ｑ２とを比較すると、付勢力Ｑ１の方が付勢力Ｑ２よりも大きくなるように両コイルばね４４，４６のばね圧が設定されているため、ロックレバー３６はアンロック位置に確実に保持される。したがって、本体枠２が機枠１に対して開放されているときに、後部施錠杆３１が誤ってロックレバー３６にロックされてしまうことはなく、開放動作後の本体枠２を閉じられなくなるという不具合は発生しない。
【００４０】
なお、後部施錠杆３１の鉤部３１ａと機枠１の受け部１ａとの係合が解除された後、本体枠２を開放することなくそのままキーを手放した場合、つまり、図１１の状態から図１２の状態へ移行することなくキーを手放すと、後部施錠杆３１がコイルばね４２の付勢力により上方へ移動して初期位置まで戻るため、カム板３５の駆動腕３５ｂが後部施錠杆３１の上側の長孔３１ｂに押圧されて初期位置に向けて回転する。その際、ロック解除部材３９もカム板３５に連動して上方へ移動するが、後部施錠杆３１が図１４（ｂ）に示す初期位置まで戻って停止した後も、ロック解除部材３９がセルフリターンばね４９に蓄力された復帰力により上方へさらに移動するため、ロック解除部材３９とカム板３５は図１４（ａ）に示す初期位置に戻る。したがって、ロック解除部材３９に拘束されていたロックレバー３６が捩りコイルばね４４の付勢力によりロック位置に戻り、図８（ａ）と図９に示すように、ロックレバー３６の係止突起３６ｅが係合突部３１ｃの下側に移動するため、後部施錠杆３１はロックレバー３６によって再びロック状態に維持される。
【００４１】
また、開放状態にある本体枠２を開放位置から閉鎖方向へ回動すると、図８（ｅ）と図１３に示すように、まず、後部施錠杆３１に形成された鉤部３１ａの傾斜面が機枠１の受け部１ａに当接し、この状態で本体枠２をさらに閉鎖方向へ回動して機枠１側へ押し込むと、その押し込み力によって後部施錠杆３１がコイルばね４２の付勢力に抗して下方へ移動する。そして、鉤部３１ａの傾斜面が受け部１ａを通過すると、後部施錠杆３１がコイルばね４２の付勢力により初期位置に向かって上方へ移動するため、鉤部３１ａは受け部１ａに係止される。また、これに前後して第１の規制レバー３７の下端部が機枠１の受け部１ａに押し付けられることで、第１の規制レバー３７が図１３の時計回りに揺動してロックレバー３６の当接受部３６ｂから離反するため、ロックレバー３６が捩りコイルばね４４の付勢力によりロック位置に向かって揺動する。その結果、図８（ａ）と図９に示すように、初期位置に戻った後部施錠杆３１の係合突部３１ｃの下側にロックレバー３６の係止突起３６ｅが移動し、後部施錠杆３１はロックレバー３６によって下方への移動が阻止されたロック状態となる。
【００４２】
一方、本体枠２に対して前面扉３を解錠する場合は、シリンダ錠１１の鍵穴１１ａに差し込んだキーを上記と逆方向（反時計回り）に回転操作すれば良く、この場合、ロック解除部材３９が初期位置から上方へ移動して後部施錠杆３１の代わりに前部施錠杆３２が同様に動作する。すなわち、キーの操作によってカム板３５が図２１（ａ）の初期位置から反時計回りに回転すると、図２１（ｂ）に示すように、カム板３５の駆動腕３５ａが前部施錠杆３２に形成された下側の長孔３２ｂの上辺に接近していき、この駆動腕３５ａに係合するロック解除部材３９を上方へ移動させる。このようにロック解除部材３９が初期位置から上方へ移動し始めると、まず、第２の駆動部３９ｄが第２の駆動受３６ｄに当接してロックレバー３６を捩りコイルばね４４の付勢力に抗して図１６の時計回りに揺動させるため、図１５（ｂ）と図１７に示すように、ロックレバー３６の係止突起３６ｅが後部施錠杆３１と前部施錠杆３２の係合突部３１ｃ，３２ｃの側方へ移動する。これにより、後部施錠杆３１と前部施錠杆３２はロックレバー３６によるロックが解除されたアンロック状態となり、ロックレバー３６の上下両端側の当接受部３６ａ，３６ｂが非作動位置に保持された第２の規制レバー３８と第１の規制レバー３７からそれぞれ離反する。また、ロック解除部材３９の上動に伴って係合孔３９ｅとセルフリターンばね４９との相対位置が変化するため、下側の弾性腕４９ｂが係合孔３９ｅの下辺に係合しながら撓んでいき、上側の弾性腕４９ａは係合孔３９ｅの上辺から離れていく。
【００４３】
かかるロック解除後にキーをさらに反時計回りへ回転操作すると、図２１（ｃ）に示すように、カム板３５の駆動腕３５ａが下側の長孔３２ｂの上辺に当接して前部施錠杆３２を持ち上げるため、図１５（ｃ）と図１８に示すように、前部施錠杆３２がコイルばね４２の付勢力に抗して上方へ移動して鉤部３２ａと前面扉３の背板面３ｃとの係合を解除する。この時点でロック解除部材３９は初期位置から上方へ最も離反した最上位置まで移動し、前部施錠杆３２による施錠は解除されてアンロック状態となっているため、前面扉３を本体枠２に対して開放することができる。また、こうしてロック解除部材３９が最上位置まで移動すると、セルフリターンばね４９の下側の弾性腕４９ｂが大きく変形し、この弾性腕４９ｂにロック解除部材３９を下方へ戻そうとする大きな復帰力が蓄力される。なお、図２１（ａ）〜図２１（ｃ）に示すように、カム板３５の回転に伴ってロック解除部材３９が初期位置から最上位置まで移動する間に、カム板３５の駆動腕３５ａ，３５ｂは後部施錠杆３１の長孔３１ｂ内を移動するだけであるため、後部施錠杆３１はカム板３５に駆動されることなく初期位置で停止している。
【００４４】
このようにキーを用いて前面扉３を本体枠２に対して開放すると、それまで非作動位置に拘束されていた第２の規制レバー３８の一方の腕部が前面扉３の背板面３ｃから離反し、第２の規制レバー３８がコイルばね４８の付勢力を受けて図１８の反時計回りに揺動するため、図１９に示すように、第２の規制レバー３８が作動位置まで移動してロックレバー３６の当接受部３６ａに圧接される。このときにキーは元位置に戻されており、それに伴ってカム板３５とロック解除部材３９は初期位置に戻っているが、第２の規制レバー３８がロックレバー３６のロック位置へ戻ろうとする揺動動作を阻止しているため、ロックレバー３６の前部施錠杆３２に対するアンロック状態が第２の規制レバー３８によって維持される。ここで、コイルばね４８が第２の規制レバー３８を介してロックレバー３６をアンロック位置に維持しようとする付勢力Ｑ３と、捩りコイルばね４４がロックレバー３６をロック位置に戻そうとする付勢力Ｑ２とを比較すると、付勢力Ｑ３の方が付勢力Ｑ２よりも大きくなるように両コイルばね４４，４８のばね圧が設定されているため、ロックレバー３６はアンロック位置に確実に保持される。したがって、前面扉３が本体枠２に対して開放されているときに、前部施錠杆３２が誤ってロックレバー３６にロックされてしまうことはなく、開放動作後の前面扉３を閉じられなくなるという不具合は発生しない。
【００４５】
なお、前部施錠杆３２の鉤部３２ａと前面扉３の背板面３ｃとの係合が解除された後、前面扉３を開放することなくそのままキーを手放した場合、つまり、図１８の状態から図１９の状態へ移行することなくキーを手放すと、前部施錠杆３２がコイルばね４２の付勢力により下方へ移動して初期位置まで戻るため、カム板３５の駆動腕３５ａが前部施錠杆３２の下側の長孔３２ｂに押圧されて初期位置に向けて回転する。その際、ロック解除部材３９もカム板３５に連動して下方へ移動するが、前部施錠杆３２が図２１（ｂ）に示す初期位置まで戻って停止した後も、ロック解除部材３９がセルフリターンばね４９に蓄力された復帰力により下方へさらに移動するため、ロック解除部材３９とカム板３５は図２１（ａ）に示す初期位置に戻る。したがって、ロック解除部材３９に拘束されていたロックレバー３６が捩りコイルばね４４の付勢力によりロック位置に戻り、図１５（ａ）と図１６に示すように、ロックレバー３６の係止突起３６ｅが係合突部３２ｃの上側に移動するため、前部施錠杆３２はロックレバー３６によって再びロック状態に維持される。
【００４６】
また、開放状態にある前面扉３を開放位置から閉鎖方向へ回動すると、図１５（ｅ）と図２０に示すように、まず、前部施錠杆３２に形成された鉤部３２ａの傾斜面が前面扉３の背板面３ｃに当接し、この状態で前面扉３をさらに閉鎖方向へ回動して本体枠２側へ押し込むと、その押し込み力によって前部施錠杆３２がコイルばね４２の付勢力に抗して上方へ移動する。そして、鉤部３２ａの傾斜面が背板面３ｃを通過すると、前部施錠杆３２がコイルばね４２の付勢力により初期位置に向かって下方へ移動するため、鉤部３２ａは背板面３ｃに係止される。また、これに前後して第２の規制レバー３８の一方の腕部が前面扉３の背板面３ｃに押し付けられることで、第２の規制レバー３８が図１９の時計回りに揺動してロックレバー３６の当接受部３６ａから離反するため、ロックレバー３６が捩りコイルばね４４の付勢力によりロック位置に向かって揺動する。その結果、図１５（ａ）と図１６に示すように、初期位置に戻った前部施錠杆３２の係合突部３２ｃの上側にロックレバー３６の係止突起３６ｅが移動し、前部施錠杆３２はロックレバー３６によって上方への移動が阻止されたロック状態となる。
【００４７】
以上説明したように、本実施形態例に係るパチンコ機Ｐの施錠装置３０では、本体枠２と前面扉３がいずれも施錠されているとき、機枠１側の受け部１ａに係止している後部施錠杆（第１の施錠杆）３１の上下動がロックレバー３６によって阻止されると共に、前面扉３側の背板面（受け部）３ｃに係止している前部施錠杆（第２の施錠杆）３２の上下動がロックレバー３６によって阻止されるようになっているため、外部から挿入した針金等を用いて後部施錠杆３１や前部施錠杆３２を上下動することはできず、キーを用いずに本体枠２や前面扉３を解錠するという不正行為を防止することができる。そして、シリンダ錠１１の鍵穴１１ａに差し込んだキーを回転操作してロック解除部材３９を上下動させると、ロックレバー３６が揺動して後部施錠杆３１や前部施錠杆３２をロック解除することができ、本体枠２や前面扉３の開放時は第１の規制レバー３７や第２の規制レバー３８をロックレバー３６に圧接させてロック解除状態（アンロック状態）を維持することにより、後部施錠杆３１や前部施錠杆３２がロックレバー３６に誤ってロックされてしまうことを防止できる。したがって、このパチンコ機Ｐは、本体枠２に組み付けた施錠装置３０をシリンダ錠１１の鍵穴１１ａに差し込んだキーの回転操作によって確実に解錠／施錠することができると共に、ロック機構や施錠装置３０の配置場所等を含めた設計上の自由度を高めることができる。
【００４８】
また、本実施形態例に係るパチンコ機Ｐの施錠装置３０では、ロックレバー３６の揺動中心を挟んだ両端側にそれぞれ当接受部３６ａ，３６ｂが設けられており、ロック解除部材３９の上下動に伴ってロックレバー３６がアンロック位置へ揺動されたとき、これら当接受部３６ａ，３６ｂが第１および第２の規制レバー３７，３８に対していずれも離反するようになっているため、ロックレバー３６を後部施錠杆３１や前部施錠杆３２に対して確実にロック／アンロック動作することができる。
【００４９】
また、本実施形態例に係るパチンコ機Ｐの施錠装置３０では、本体枠２に設置されるベース部材がロック解除部材３９を挟んで一体化されたベース本体３３とカバー体４０とからなり、施錠装置３０の各構成部品のうち、後部施錠杆３１と前部施錠杆３２をベース本体３３に上下動可能に支持させると共に、ロックレバー３６と第１および第２の規制レバー３７，３８をカバー体４０に揺動可能に支持させているため、施錠装置３０の組立作業性を高めることができると共に、後部施錠杆３１や前部施錠杆３２による解錠／施錠動作を確実に行わせることができる。
【００５０】
なお、上記実施形態例では、透明板４や操作ハンドル１６等が設けられた一体型の前面扉３を本体枠２に開閉可能に軸支したパチンコ機Ｐについて説明したが、透明板等が設けられた上扉と操作ハンドル等が設けられた下扉とからなる分離タイプの前面扉にも本発明は適用可能であり、その場合、上扉を開放しない限り下扉を開放できないようになっていれば、前部施錠杆３２の鉤部３２ａを上扉側の受け部に係止させることにより、上扉と下扉の両方を本体枠２に対して施錠することができる。
【００５１】
また、上記実施形態例では、キーを一方向へ回転操作して後部施錠杆３１を下動させることで本体枠２が解錠され、キーを他方向へ回転操作して前部施錠杆３２を上動させることで前面扉３が解錠されるようになっているが、これとは逆に、後部施錠杆３１の上動によって本体枠２が解錠され、前部施錠杆３２の下動によって前面扉３が解錠される構成とすることも可能であり、その場合は、後部施錠杆３１をコイルばね（第１の弾性手段）４２によって下方へ付勢すると共に、前部施錠杆３２をコイルばね４２によって上方へ付勢すれば良い。
【００５２】
また、上記実施形態例では、第１の弾性手段であるコイルばね４２の両端を後部施錠杆３１と前部施錠杆３２に掛け止めすることにより、共通のコイルばね４２を用いて後部施錠杆３１と前部施錠杆３２を互いに逆向きに付勢しているが、個別のコイルばねを用いて後部施錠杆３１と前部施錠杆３２を互いに逆向きに付勢するようにしても良い。
【符号の説明】
【００５３】
１  機枠
１ａ  受け部
２  本体枠
３  前面扉
３ｃ  背板面（受け部）
１１  シリンダ錠
１１ａ  鍵穴
３０  施錠装置
３１  後部施錠杆（第１の施錠杆）
３１ａ  鉤部
３１ｂ  長孔
３１ｃ  係合突部
３２  前部施錠杆（第２の施錠杆）  
３２ａ  鉤部
３２ｂ  長孔
３２ｃ  係合突部
３３  ベース本体（ベース部材）
３４  取付板
３５  カム板
３５ａ，３５ｂ  駆動腕
３６  ロックレバー
３６ａ，３６ｂ  当接受部
３６ｃ  第１の駆動受
３６ｄ  第２の駆動受
３６ｅ  係止突起
３７  第１の規制レバー
３８  第２の規制レバー
３９  ロック解除部材
３９ａ，３９ｂ  連結孔
３９ｃ  第１の駆動部
３９ｄ  第２の駆動部
３９ｅ  係合孔
４０  カバー体（ベース部材）
４０ａ  ガイドレール
４０ｂ  ボス
４０ｃ  規制壁
４１，４３，４５，４７  ピン
４２  コイルばね（第１の弾性手段）
４４  捩りコイルばね（第２の弾性手段）
４６，４８  コイルばね（第３の弾性手段）
４９  セルフリターンばね
４９ａ，４９ｂ  弾性腕
４９ｃ  巻回部
Ｓ  収納空間
Ｐ  パチンコ機
【図１】
0005887200.tif 000002
【図２】
0005887200.tif 000003
【図３】
0005887200.tif 000004
【図４】
0005887200.tif 000005
【図５】
0005887200.tif 000006
【図６】
0005887200.tif 000007
【図７】
0005887200.tif 000008
【図８】
0005887200.tif 000009
【図９】
0005887200.tif 000010
【図１０】
0005887200.tif 000011
【図１１】
0005887200.tif 000012
【図１２】
0005887200.tif 000013
【図１３】
0005887200.tif 000014
【図１４】
0005887200.tif 000015
【図１５】
0005887200.tif 000016
【図１６】
0005887200.tif 000017
【図１７】
0005887200.tif 000018
【図１８】
0005887200.tif 000019
【図１９】
0005887200.tif 000020
【図２０】
0005887200.tif 000021
【図２１】
0005887200.tif 000022